(57)【要約】  歯間ブラシと、口内ビューアと、容器と、ホルダとを含む口内清掃キットが開示される。容器は上部カバー及び基部を含む。歯間ブラシ、口内ビューア、練り歯磨き、及び歯ブラシなどの口内清掃器具を容器内に配置することができる。基部は固定クランプリング及び収納槽を含む。上部カバーは歯磨き用のマグとして使用可能であり、基部に着脱可能に取り付けられる。ホルダを容器に設けることができる。ホルダが開かれると、携帯電話をホルダ上に配置可能であり、携帯電話を介して清掃プロセスをリアルタイムで観察することができる。口内清掃キットは持ち運びに便利、簡単な使用及び衛生的であるという利点を有する。【選択図】図１２
2020521516.tif 000002
【特許請求の範囲】
【請求項１】
口内清掃キットであって、
前記口内清掃キット（８００）は、歯間ブラシ（１）と、口内ビューア（２）と、前記歯間ブラシ（１）及び前記口内ビューア（２）を収容する容器（３）と、を備え、
前記容器（３）は、上部カバー（３１）と、基部（３２）と、収納空間（３３）と、を有し、
前記上部カバー（３１）は、前記基部（３２）に着脱可能に取り付けられ、前記上部カバー（３１）と前記基部（３２）との間の空間は、前記収納空間（３３）を構成し、
前記歯間ブラシ（１）及び前記口内ビューア（２）は、前記収納空間（３３）内に取り付けられる、口内清掃キット。
【請求項２】
前記基部（３２）は、固定クランプリング（３２−１）及び収納槽（３２−２）を有し、
前記固定クランプリング（３２−１）は、前記収納槽（３２−２）の開口端に設けられており、
前記固定クランプリング（３２−１）には、前記上部カバー（３１）に接続されている上部カバー接続機構（３２−１−１）、リブプレート（３２−１−３）、及び位置決めスロット穴（３２−１−２）が設けられており、
前記上部カバー接続機構（３２−１−１）は、前記固定クランプリング（３２−１）の上端に設けられており、前記位置決めスロット穴（３２−１−２）は、前記リブプレート（３２−１−３）に設けられている、請求項１に記載の口内清掃キット。
【請求項３】
前記上部カバー接続機構（３２−１−１）は、凹凸係合接続機構、ネジ接続機構、締まりばめ接続機構、ヒンジ接続機構、又はバックル接続機構である、請求項２に記載の口内清掃キット。
【請求項４】
前記基部（３２）は、仕切り板（３２−３）を有し、
前記仕切り板（３２−３）は、前記容器（３）の長手方向に沿って広げられ、前記収納空間（３３）を前部収納空間（３３−１）と後部収納空間（３３−２）とに仕切る、請求項１に記載の口内清掃キット。
【請求項５】
前記仕切り板（３２−３）には、前記歯間ブラシ（１）又は前記口内ビューア（２）を固定するための位置決めスロット（３２−３−１）及び位置決めフック（３２−３−２）が設けられる、請求項４に記載の口内清掃キット。
【請求項６】
前記容器（３）には、通気孔（３−１）が設けられ、
前記通気孔（３−１）は、前記基部（３２）に設けられる、請求項１に記載の口内清掃キット。
【請求項７】
前記容器（３）は、歯ブラシ（５）、及び／又は練り歯磨き（６）、及び／又はデンタルフロス（７）をさらに備える、請求項１に記載の口内清掃キット。
【請求項８】
前記歯間ブラシ（１）は、内部歯間ブラシ（１００）であり、
前記内部歯間ブラシ（１００）は、歯間ブラシ（１）、送達装置（１００−２）、及び接続機構（３００）を有し、
前記歯間ブラシ（１）は、前記送達装置（１００−２）の前端の屈曲部（１００−２−１）内に移動可能に配置され、前記接続機構（３００）は、前記送達装置（１００−２）に設けられる、請求項１に記載の口内清掃キット。
【請求項９】
前記内部歯間ブラシ（１００）は、前記接続機構（３００）を介して前記口内ビューア（２）に着脱可能に取り付けられる、請求項８に記載の口内清掃キット。
【請求項１０】
前記歯間ブラシ（１）及び前記口内ビューア（２）は、前記容器（３）の前記前部収納空間（３３−１）内に取り付けられる、請求項４に記載の口内清掃キット。
【請求項１１】
前記歯ブラシ（５）、及び／又は前記練り歯磨き（６）、及び／又は前記デンタルフロス（７）は、前記後部収納空間（３３−２）内に取り付けられる、請求項４に記載の口内清掃キット。
【請求項１２】
前記口内清掃キット（８００）の前記容器（３）の前記上部カバー（３１）は、歯のブラッシングときに、液体を保持するカップである、請求項１に記載の口内清掃キット。
【請求項１３】
前記口内清掃キット（８００）は、携帯電話（８）を保持するホルダ（４）を有し、
前記ホルダ（４）は、前記容器（３）に設けて前記容器（３）と一緒又は単独に使用することができる、請求項１に記載の口内清掃キット。
【請求項１４】
前記ホルダ（４）は、前記容器（３）に固定式に接続することができ、又は前記容器（３）に着脱可能に取り付けることができる、請求項１３に記載の口内清掃キット。
【請求項１５】
前記ホルダ（４）は、前記容器（３）の任意の位置に設けることができる、請求項１４に記載の口内清掃キット。
【請求項１６】
前記ホルダ（４）は、前記上部カバー（３１）の底部（３１−１）に着脱可能に取り付けられる、請求項１５に記載の口内清掃キット。
【請求項１７】
前記ホルダ（４）は、支持板（４−１）、ハウジング（４−２）、位置決め凸状段（４−３）、回転シャフト（４−４）、回転シャフト取付スロット（４−５）、及びホルダ取付スロット（４−６）を有し、
前記支持板（４−１）は、前記ハウジング（４−２）に設けられ、前記回転シャフト（４−４）を介して前記回転シャフト取付スロット（４−５）に取り付けられ、
前記携帯電話（８）は、前記位置決め凸状段（４−３）と前記支持板（４−１）との間の空間内に取り付けられることが可能であり、前記位置決め凸状段（４−３）は、前記携帯電話（８）が滑ることを防止することができ、前記支持板（４−１）は、前記携帯電話（８）への支持を提供し、
前記ホルダ取付スロット（４−６）は、前記ホルダ（４）を前記容器（３）の前記上部カバー（３１）に取り付ける、請求項１３に記載の口内清掃キット。
【請求項１８】
前記支持板（４−１）は、少なくとも１つの角度調整位置を有する、請求項１７に記載の口内清掃キット。
【請求項１９】
前記支持板（４−１）は、垂直角度調整位置と、９０°を超える角度調整位置とを有する、請求項１８に記載の口内清掃キット。
【請求項２０】
前記携帯電話用の前記ホルダ（４）の前記支持板（４−１）と、前記ハウジング（４−２）の端面（４−２−１）との間の角度βは、連続的に調整可能である、請求項１７に記載の口内清掃キット。
【請求項２１】
前記ホルダ（４）の前記ハウジング（４−２）には、前記支持板（４−１）の開放を容易にするための溝（４−７）が設けられる、請求項１７に記載の口内清掃キット。
【請求項２２】
前記ホルダ（４）の前記支持板（４−１）の内面は、鏡（４−８）を有する、請求項１７に記載の口内清掃キット。
【請求項２３】
前記ホルダ（４）は、前記容器（３）に設けられている、押し込むことで折り畳まれ、引き出すことで開かれる引出し式ホルダ（４）である、請求項１３に記載の口内清掃キット。
【請求項２４】
前記引出し式ホルダ（４）が前記容器（３）の前記基部（３２）に配置される、請求項２３に記載の口内清掃キット。
【請求項２５】
前記引出し式ホルダ（４）は、スライド式引出し式ホルダであり、前記引出し式ホルダ（４）は、スライドレール（４−９）及びスライドシュート（４−１０）をさらに有し、
前記スライドレール（４−９）は、前記スライドシュート（４−１０）内に移動可能であり、
前記引出し式ホルダ（４）を引き出すときに、前記スライドレール（４−９）が前記スライドシュート（４−１０）に沿って外側に突出することによって、携帯電話の位置決め用の前記位置決め凸状段（４−３）が順次に開かれ、前記基部（３２）の上部は、前記ホルダ（４）の前記支持板（４−１）に相当し、前記位置決め凸状段（４−３）とともに前記携帯電話（８）を受け入れるための位置決め空間を構成し、
前記携帯電話（８）を取り外して、前記ホルダ（４）の前記ハウジング（４−２）を内側に押し込むときに、前記スライドレール（４−９）が前記スライドシュート（４−１０）内に後退させられ、前記位置決め凸状段（４−３）が順次に折り畳まれ、前記ホルダ（４）とともに前記基部（３２）内に折り畳まれる、請求項２４に記載の口内清掃キット。
【請求項２６】
前記ホルダ（４）は、前記容器（３）に配置されるフリップ式ホルダ（４）である、請求項１３に記載の口内清掃キット。
【請求項２７】
前記フリップ式ホルダ（４）は、前記容器（３）の前記基部（３２）に配置される、請求項２６に記載の口内清掃キット。
【請求項２８】
前記フリップ式ホルダ（４）は、開閉フリップ式ホルダであり、ハウジング（４−２）、位置決め凸状段（４−３）、回転シャフト（４−４）、回転シャフト取付スロット（４−５）、及びスイッチバックル位置（４−１１）を有し、
前記スイッチバックル位置（４−１１）を押し下げて前記ホルダ（４）と前記基部（３２）と連結を解除した後に、前記回転シャフト（４−４）を回転中心として前記ホルダ（４）を回転させ、前記ハウジング（４−２）を開き、前記基部（３２）の上部は、前記ホルダ（４）の前記支持板（４−１）に相当し、前記位置決め凸状段（４−３）とともに前記携帯電話（８）を受け入れるための位置決め空間を構成し、
前記携帯電話（８）を取り外して、前記ハウジング（４−２）を前記回転シャフト（４−４）に対して反対方向に回転させ、前記バックル位置（４−１１）を介して前記ハウジング（４−２）を前記基部（３２）に接続して固定することによって、前記ホルダを折り畳む、請求項２７に記載の口内清掃キット。
【発明の詳細な説明】
【技術分野】
【０００１】
本開示は、口内清掃キット、特に、歯の隙間を清掃して口腔を観察するための口内清掃キットに関する。
【背景技術】
【０００２】
口内清掃は、すべての人が毎日行わなければならない日々の手入れであり、特に加齢に伴って、又は病理学的な理由により、歯茎の萎縮及び歯の隙間の拡大が容易に起こり、それは食べ物を非常に残しやすい。時間の経たないうちに口腔を清掃できない場合、一方では口臭が発生する可能性があり、他方では様々な歯の疾患、口内疾患、特に歯周病が発生する可能性がある。
【０００３】
この状況に鑑みて、様々な歯間ブラシ（歯間ブラシとしても知られる）が、ユーザが選択するために市場で開発されてきた。今日、市場には様々な構造及び異なる仕様の製品があるが、既存の製品は一般に、歯の隙間の観察が見込めないという欠点がある。特に、第３大臼歯と第２大臼歯の間の隙間、又は第２大臼歯と第１大臼歯の間の隙間、又は第１大臼歯と第２小臼歯の間の隙間を清掃する場合。清掃すべき歯の隙間の位置は口内の深い所にあるため、清掃される部分の光は非常に暗い。外部からの照明がない場合、ユーザは感覚で操作することを余儀なくされる。従来技術の歯間ブラシの作用部分は、通常、金属ワイヤケーブルにポリマー材料繊維を取り付けるブラシ構造を採用している。したがって感覚で操作する場合、金属ワイヤはいとも簡単に歯茎組織を突き刺し、出血又は歯肉の損傷を引き起こす。
【０００４】
金属ワイヤが歯肉を突き刺すのを防止するために、先行技術の歯間ブラシは、軟質ポリマー材料から作られた歯間ブラシも含む。歯間ブラシの頭部は柔らかくなり、歯肉を突き刺すことは少なくなるが、歯間ブラシの低い強度のために、曲げ変形が起こりやすい。したがって歯間ブラシが歯の隙間に対してわずかにずれていると、歯間ブラシの毛を歯の隙間に押し込むことは難しく、歯の隙間を首尾よく清掃することは困難である。したがって、この歯間ブラシを使用する場合、使用プロセスの可視性がより要求される。
【０００５】
上記の技術的な欠点に基づき、本出願人は、２０１４年３月１２日に出願され「Ｉｎｔｅｒｎａｌ  Ｉｎｔｅｒｄｅｎｔａｌ  Ｂｒｕｓｈ（内部歯間ブラシ）」と題された中国特許第２０１４１００９１２６８．０号を出願し；本出願人は、２０１４年３月２１日に出願された「Ｖｉｓｕａｌ  Ｉｎｔｅｒｄｅｎｔａｌ  Ｂｒｕｓｈ（可視型歯間ブラシ）」と題された中国特許第２０１４１０１０８５２５．７を出願し；及び本出願人は上記特許についてＰＣＴ出願を出願し、そのＰＣＴ特許出願番号はＰＣＴ／ＣＮ２０１５／０７３９２７号である。上記の特許の全ては、前述の歯間ブラシの技術的な欠点を技術的に改善した。
【０００６】
同時に、本出願人はまた、ほとんどのユーザにとって、毎日の口内清掃は食事の後、時間が経たないうちに実行される必要があり、完全な口内清掃プロセスにおいて、様々な用具：口内ビューア（ｏｒａｌ  ｖｉｅｗｅｒ）などの観察用具；歯間ブラシ、歯ブラシ、練り歯磨き、及びデンタルフロスなどの清掃用具、が必要であることも見出した。口内清掃が勤務時間中又は旅行中に行われる場合、歯の清掃は通常公衆トイレで行われる。したがって、歯間ブラシ、口内ビューア、及び歯ブラシなどの用具の持ち運び、ならびに公衆トイレにおける使用利便性及び衛生をどのように実現するかという問題をさらに改善する必要がある。
【発明の概要】
【０００７】
本開示は、様々なトイレで使用するのに衛生的で便利である持ち運び型口内清掃キットに関する。
【０００８】
本開示は口内清掃キットを提供する。口内清掃キット８００は、歯間ブラシ１と、口内ビューア２と、歯間ブラシ１及び口内ビューア２を収容可能な容器３とを含むことを特徴とする。容器３は、上部カバー３１、基部３２、及び収納空間３３を含む。上部カバー３１は基部３２に着脱可能に取り付けられ、上部カバー３１と基部３２との間の空間が収納空間３３を構成する。歯間ブラシ１及び口内ビューア２は、収納空間３３内に取り付けられる。
【０００９】
口内清掃の間、上部カバー３１を基部３２から外し、歯間ブラシ１及び口内ビューア２を容器３から取り出し、口内ビューア２による補助観察下に、歯の隙間は歯間ブラシ１を使用して清掃される。使用後、歯間ブラシ１と口内ビューア２を容器３の収納空間３３に配置し、その後上部カバー３１を基部３２に取り付け、そうすることで口内清掃キット８００は、持ち運び及び使い捨て可能なユニットを再び構成することができる。
【００１０】
基部３２は、固定クランプリング３２−１と収納槽３２−２とを含む。固定クランプリング３２−１は、収納槽３２−２の開口端に設けられる。上部カバー３１に接続される、上部カバー接続機構３２−１−１、リブプレート３２−１−３、及び位置決めスロット穴３２−１−２が固定クランプリング３２−１に設けられている。上部カバー接続機構３２−１−１は、固定クランプリング３２−１の上端に設けられる。位置決めスロット穴３２−１−２はリブプレート３２−１−３に設けられる。
【００１１】
位置決めスロット穴３２−１−２がリブプレート３２−１−３に設けられているので、歯間ブラシ１又は口内ビューア２は、上手く位置付けられるように位置決めスロット穴３２−１−２に埋め込むことができ、それにより、持ち運び中の歯間ブラシ１と口内ビューア２の衝突により歯間ブラシ１又は口内ビューア２が偶発的に損傷することを防止するようにする。基部３２は、上部カバー接続機構３２−１−１によって容易に上部カバー３１に好都合に接続することができる。
【００１２】
上部カバー接続機構３２−１−１は、凹凸係合接続機構、ネジ接続機構、締まりばめ接続機構、ヒンジ接続機構、又はバックル接続機構等である。ここで、本出願人は上記の様々な接続方法を列挙しているだけであるが、当業者は本出願の保護範囲から逸脱することなく他の接続方法を採用することができる。
【００１３】
基部３２は仕切り板３２−３を含む。仕切り板３２−３は容器３の長手方向に沿って広げられ、収納空間３３を前部収納空間３３−１と後部収納空間３３−２とに仕切る。仕切り板３２−３の下端の形状は位置決めスロット穴３２−１−２の形状と一致し、仕切り板３２−３は位置決めスロット穴３２−１−２に都合よく埋め込まれて定着部を形成することができる。仕切り板３２−３によって収納空間３３が前部収納空間３３−１と後部収納空間３３−２とに仕切られた後、ユーザは、形状及び湿潤−乾燥状態など清掃用物品の特徴に従って、歯間ブラシ１、口内ビューア２、歯ブラシ５、練り歯磨き６及びデンタルフロス７などの物品を異なる収納空間に配置することができる。
【００１４】
仕切り板３２−３には、歯間ブラシ１又は口内ビューア２を固定するための位置決めスロット３２−３−１及び位置決めフック３２−３−２が設けられている。位置決めスロット３２−３−１及び位置決めフック３２−３−２は、使用プロセス中の歯間ブラシ１と口内ビューア２との衝突により歯間ブラシ１又は口内ビューア２を偶発的に損傷することをより良く防止するように、歯間ブラシ１又は口内ビューア２の位置決めを補助することができる。
【００１５】
容器３には通気孔３−１が設けられ、通気孔３−１は基部３２に設けられている。通気孔３−１を設けることで、容器３内の残留水分を確実に蒸発させ、容器３の収納空間３３を乾燥状態に保ち、細菌の増殖を効果的に防止し、残留水分が電子部品の短絡、経年劣化及び偶発的な損傷を引き起こすのを防止することができ、それにより口内清掃キット８００はより安全で衛生的なものになる。
【００１６】
容器３は、歯ブラシ５、及び／又は練り歯磨き６、及び／又はデンタルフロス７を収容することができる。容器３はまた、歯ブラシ５、及び／又は練り歯磨き６、及び／又はデンタルフロス７などの毎日の清掃製品も含むことができ、ユーザは、本開示の口内清掃キットによって完全な口内清掃ケアを便利に実行することができる。
【００１７】
歯間ブラシ１は、内部歯間ブラシ１００である。内部歯間ブラシ１００は、歯間ブラシ１、送達装置１００−２、及び接続機構３００を含み、歯間ブラシ１は送達装置１００−２の前端の屈曲部１００−２−１に移動可能に配置され、接続機構３００は送達装置１００−２に設けられている。
【００１８】
内部歯間ブラシ１００の歯間ブラシ１は、作用部分１１と接続体１２とを含み、作用部分１１は接続体１２の前端に設けられている。送達装置１００−２は、案内ヘッド１００−２１及びスライド機構１００−２２を含む。案内ヘッド１００−２１は屈曲部１００−２−１を内側に含む。歯間ブラシ１は屈曲部１００−２−１に取り付けられ、歯間ブラシ１の作用部分１１は屈曲部１００−２−１内をスライド可能であり、歯間ブラシ１の接続体１２は送達装置１００−２のスライド機構１００−２２に取り付けられている。スライド機構１００−２２の移動は、歯間ブラシ１の作用部分１１を湾曲部１００−２−１内でスライドさせるように駆動することができる。スライド機構１００−２２を駆動することにより、歯間ブラシ１の作用部分１１は、屈曲部１００−２−１の出口から突出することができる。
【００１９】
内部歯間ブラシ１００のスライド機構１００−２２は、歯間ブラシ接続機構１００−２−２とスライダ１００−２−３とを含み、歯間ブラシ接続機構１００−２−２はスライダ１００−２−３に設けられている。歯間ブラシの接続体１２及び歯間ブラシ接続機構１００−２−２は相互に接続され、スライダ１００−２−３は、歯間ブラシ１を駆動して屈曲部１００−２−１内で往復するように押し引きすることができ、その結果、歯間ブラシの作用部分１１は屈曲部１００−２−１の出口から突出又は後退する。
【００２０】
内部歯間ブラシ１００は、送達装置１００−２の案内ヘッド１００−２１の屈曲部１００−２−１内に配置された歯間ブラシ１の構造を有するので、案内ヘッド１００−２１が歯の隙間と整列した後、弾性材料から作られた歯間ブラシ１の作用部分１１は、送達装置１００−２上のスライド機構１００−２２を押して、歯間ブラシ１の作用部分１１を駆動して、屈曲部１００−２−１の湾曲に沿って自動的に曲がるようにし、及び歯の隙間と整列してそこに入り込むようにする。送達装置１００−２のスライド機構１００−２２上のスライダ２２−２を前後に押し引きすることによって、歯間ブラシの作用部分１１が歯の隙間内で前後に動き、歯の隙間を清掃する。送達装置１００−２の良好な剛性により、送達装置１００−２の案内ヘッド１００−２１の屈曲部１００−２−１の出口が歯の隙間と整列した後、歯間ブラシ１の作用部分１１は歯の隙間に直接入り込むように押し出される。送達装置１００−２の案内ヘッド１００−２１の屈曲部１００−２−１の出口は歯の隙間の寸前にあるので、歯間ブラシの作用部分１１は歯の隙間からの距離が短いために曲がる可能性が低く、その結果、歯間ブラシ１のパワーの伝達率が大幅に改善され、歯間ブラシ１の制御性が改善され、そして従来技術において臼歯間の隙間を清掃するときに歯間ブラシの曲がりによって生じる歯肉を傷付ける欠点は回避される。
【００２１】
内部歯間ブラシ１００は接続機構３００を介して口内ビューア２に着脱可能に取り付けられる。このようにして、内部歯間ブラシ１００と口内ビューア２とを一体に組み立てて、歯の隙間を清掃するために片手操作を行うことができる。それらは分離することもできる、すなわち、口内ビューア２を観察のために片方の手で保持し、内部歯間ブラシ１００を他方の手で保持して歯の隙間を清掃する。ユーザは個人の習慣に合わせて自由に使用モードを選択することができる。
【００２２】
歯間ブラシ１及び口内ビューア２は、容器３の前部収納空間３３−１内に取り付けられる。
【００２３】
歯ブラシ５、及び／又は練り歯磨き６、及び／又はデンタルフロス７は、後部収納空間３３−２内に取り付けられる。
【００２４】
口内清掃キット８００の容器３の上部カバー３１は、歯をブラッシングする時に液体を保持することができるカップである。清掃プロセス中、ユーザは、上部カバー３１を歯磨き用のマグとして使用することができる。使用後、上部カバー３１は容器３を形成するように基部３２に接続することができ、これによってより便利に使用することができる。
【００２５】
口内清掃キット８００は、携帯電話８を保持することができるホルダ４を含む。ホルダ４は、容器３に設けられ、容器３と共に使用されてもよい、又は単独で使用されてもよい。
【００２６】
口内ビューア２は観察システム２１を含む。観察システム２１はカメラシステム２１−１である。カメラシステム２１−１のビデオデータは、有線又は無線式に携帯電話８に送信することができる。したがって、ホルダ４の設計により、携帯電話８を容器３に都合よく配置することができ、清掃中に携帯電話８を手で保持する必要はなく、又は携帯電話８は洗面台に配置され、これにより使用プロセスの利便性、清潔さ及び衛生が確保される。
【００２７】
ホルダ４は、容器３に固定式に取り付けられてもよく、又は容器３に取り外し可能に取り付けられてもよい。ホルダ４は、一体製造、接着、溶接等により容器３に固定式に接続されてもよく、又は凹凸係合、ネジ接続、締まりばめ、バックル接続等により容器３に着脱可能に取り付けられてもよい。
【００２８】
ホルダ４は、容器３の任意の位置に設けることができる。ホルダ４は、容器３の上部カバー３１の任意の位置に、又は基部３２の底部、中間部、又は上部に設けることができる。
【００２９】
ホルダ４は、上部カバー３１の底部３１−１に着脱可能に取り付けられてもよい。
【００３０】
ホルダ４は、支持板４−１と、ハウジング４−２と、位置決め凸状段４−３と、回転シャフト４−４と、回転シャフト取付スロット４−５と、ホルダ取付スロット４−６とを含む。支持板４−１は、ハウジング４−２に設けられ、回転シャフト４−４を介して回転シャフト取付スロット４−５に取り付けられる。携帯電話８は位置決め凸状段４−３と支持板４−１との間の空間に取り付けることができ、位置決め凸状段４−３は携帯電話８の滑りを防止することができ、支持板４−１は携帯電話８を支持する。ホルダ取付スロット４−６は、ホルダ４を容器３の上部カバー３１に取り付けることができる。
【００３１】
支持板４−１は、少なくとも１つの角度調整位置を有する。
【００３２】
支持板４−１は、垂直な角度調整位置と９０°を超える角度調整位置とを有する。
【００３３】
携帯電話用のホルダ４の支持板４−１とハウジング４−２の端面４−２−１との間の角度βは連続的に調整可能である。ユーザは、個人の身長と習慣に応じて異なる角度βを設定することができる。
【００３４】
ホルダ４のハウジング４−２には、支持板４−１を容易に開くための溝４−７が設けられている。
【００３５】
使用時、ホルダ４はホルダ取付スロット４−６を介して容器３の上部カバー３１の底部３１−１に取り付けることができ、容器３は洗面台に置くことができる。あるいは、ホルダ４を洗面台に直接置き、溝４−７を介して支持板４−１を開き、支持板４−１を、支持板４−１とハウジング４−２の端面４−２−１との間の適切な角度βまで回転シャフト４−４を回転中心として回転させ、携帯電話８は適切な位置決め凸状段４−３に置かれる。口内ビューア２のカメラシステム２１−１から送信されたビデオ信号は、携帯電話８を介してリアルタイムですぐに観察され、可視性の歯又は口内の清掃が行われる。
【００３６】
ホルダ４の支持板４−１の内面は鏡４−８を含む。ホルダ４の支持板４−１の内面はさらに鏡４−８を含み、ユーザは鏡４−８を介して口腔内を直接観察することもできる。
【００３７】
ホルダ４は、容器３に設けられた引出し式のホルダ４であり、押し込むことで折り畳むことが可能で、引き出すことで開かれることが可能である。
【００３８】
引出し式のホルダ４は、容器３の基部３２に配置されている。
【００３９】
引出し式ホルダ４はスライド式引出し式ホルダである。引出し式ホルダ４はさらにスライドレール４−９とスライドシュート４−１０を含む。スライドレール４−９はスライドシュート４−１０内を移動可能である。引出し式ホルダ４を引き出すとき、スライドレール４−９がスライドシュート４−１０に沿って外側に突出し、携帯電話の位置決め用の位置決め凸状段４−３が順次に開かれる。基部３２の上部はホルダ４の支持板４−１に相当し、位置決め凸状段４−３と共に携帯電話８を受け入れるための位置決め空間を構成している。携帯電話８が取り外され、ホルダ４のハウジング４−２が内側に押されるとき、スライドレール４−９はスライドシュート４−１０内に後退させられ、位置決め凸状段４−３が順次折り畳まれ、ホルダ４と一緒に基部３２内に折り畳まれる。
【００４０】
引出し式ホルダ４は基部３２に直接設けられ、基部３２は携帯電話８を支持するために使用され、これは使用するのに便利である。同時にデンタルフロス及び綿棒など小さな清掃製品が基部３２の収納槽３２−２に配置されてもよく、それにより、より完全な機能が得られる。
【００４１】
ホルダ４は、容器３に設けられたフリップ式のホルダ４である。
【００４２】
フリップ式のホルダ４は、容器３の基部３２に配置される。
【００４３】
フリップ式のホルダ４は、開閉フリップ型ホルダである。フリップ式ホルダ４は、ハウジング４−２、位置決め凸状段４−３、回転シャフト４−４、回転シャフト取付スロット４−５、及びスイッチバックル位置４−１１を含む。スイッチバックル位置４−１１を押し下げてホルダ４と基部３２と連結を解除した後、回転シャフト４−４を回転中心としてホルダ４を回転させ、ハウジング４−２を開くことができ、基部３２の上部はホルダ４の支持板４−１に相当し、位置決め凸状段４−３とともに携帯電話８を受け入れるための位置決め空間を構成する。携帯電話８を取り外して、ハウジング４−２を回転シャフト４−４に対して反対方向に回転させ、ハウジング４−２はバックル位置４−１１を介して基部３２に接続して固定することによって、ホルダを折り畳む。
【００４４】
フリップ式ホルダ４は、回転シャフト４−４を介して基部３２に直接設けることができるので、ハウジング４−２は、ホルダ４を開く又は折り畳むために、回転シャフト４−４を介して直接回転される。構造が単純で、使用プロセスもより便利である。さらに、ハウジング４−２を開いた後は、収納空間３３の下部に配置されている清掃製品を容易に取り出して保管することができ、使用プロセスがより便利になる。
【００４５】
本開示の口内清掃キットは、歯間ブラシ１、口内ビューア２及び容器３を備える。容器３は、上部カバー３１、基部３２、及び収納空間３３を備える。基部３２は、固定クランプリング３２−１及び収納槽３２−２を備え、収納空間３３は仕切り板３２−３によって前部収納空間３３−１と後部収納空間３３−２とに仕切られてもよく、歯間ブラシ１、口内ビューア２、練り歯磨き５、及びデンタルフロス６などの物品を物品の特性に従って異なる収納空間に配置することができる。本開示の口内清掃キットは、ホルダ４をさらに含む。ホルダ４は、容器３に設けられ、容器３と共に使用されてもよい、又は単独で使用されてもよい。ホルダ４が開かれると、携帯電話８をホルダ４上に置くことができ、清掃プロセスを携帯電話８を通してリアルタイムで観察することができる。本開示の口内清掃キットは、持ち運びに便利、便利な使用及び衛生的という利点を有する。
【図面の簡単な説明】
【００４６】
【図１】本開示の口内清掃キットの概略的な構造図である。
【図１−１】図１の展開図である。
【図１−２】図１の展開図である。
【図１−３】図１の展開図である。
【図２】本開示の口内清掃キットの上部カバーの概略的な構造図である。
【図２−１】図２の断面図である。
【図３】本開示の口内清掃キットの基部の立体構造を示す正面図である。
【図３−１】図３の立体構造を示す後面図である。
【図４】本開示の口内清掃キットの口内ビューアの概略的な構造図である。
【図５】本開示の口内清掃キットの口内ビューア上に内部歯間ブラシを取り付ける概略的な構造図である。
【図５−１】押し出された後の図５の内部歯間ブラシの概略的な構造図である。
【図６】本開示の口内清掃キットの内部歯間ブラシの概略的な構造図である。
【図６−１】押し出された後の図６の内部歯間ブラシの概略的な構造図である。
【図７】本開示の口内清掃キットの歯間ブラシの概略的な構造図である。
【図８】本開示の口内清掃キットの仕切り板の構造正面図である。
【図８−１】図８の構造後面図である。
【図９】本開示の口内清掃キットの固定クランプリングの構造上面図である。
【図９−１】図９の構造底面図である。
【図１０】本開示の口内清掃キットの収納槽の立体構造を示す図である。
【図１１】本開示の口内清掃キットの基部の概略的な構造図である。
【図１２】携帯電話ホルダを備えた本開示の口内清掃キットの概略的な構造図である。
【図１２−１】図１２の立体構造を示す図である。
【図１２−２】図１２−１の開かれた支持板の立体構造を示す図である。
【図１２−３】図１２−１の展開図である。
【図１２−４】携帯電話がホルダに配置されている本開示の口内清掃キットの立体構造を示す図である。
【図１３】本開示の口内清掃キットのホルダの立体構造を示す上面図である。
【図１３−１】図１３の立体構造を示す底面図である。
【図１３−２】開かれた支持板を備えた図１３の立体構造を示す図である。
【図１３−３】Ａ−Ａに沿った図１３の断面図である。
【図１３−４】９０°の支持板を備えた図１３−３の概略的な構造図である。
【図１３−５】支持板とハウジングの端面との間に角度βを有する図１３−３の概略的な構造図である。
【図１４】練り歯磨き及び歯ブラシを備えた本開示の口内清掃キットの概略的な構造図である。
【図１５】練り歯磨き、歯ブラシ及びデンタルフロスを備えた本開示の口内清掃キットの概略的な構造図である。
【図１６】引出し式ホルダを備えた本開示の口内清掃キットの概略的な構造図である。
【図１６−１】図１６の断面図である。
【図１６−２】図１６の展開図である。
【図１６−３】展開後の図１６の引出し式ホルダの概略的な構造図である。
【図１６−４】図１６−３のホルダに配置された携帯電話の概略的な構造図である。
【図１７】本開示のネジ接続型口内清掃キットの概略的な構造図である。
【図１８】仕切り板のない本開示のネジ接続型口内清掃キットの概略的な構造図である。
【図１９】フリップ式ホルダを備えた本開示の口内清掃キットの概略的な構造図である。
【図１９−１】図１９の後面図である。
【図１９−２】図１９−１の局部断面図である。
【図１９−３】図１９−１の展開図である。
【図２０】図１９の概略的な組立図である。
【図２０−１】図１９−１の概略的な組立図である。
【図２１】開かれたフリップ式ホルダの概略的な構造図である。
【図２２】フリップ式ホルダに配置された携帯電話の概略的な構造図である。
【図２３】折り畳まれたフリップ式ホルダの断面図である。
【図２４】開かれたフリップ式ホルダの断面図である。
【００４７】
上記図面中：
【００４８】
１００は内部歯間ブラシ、３００は接続機構、８００は本開示の口内清掃キットである。
【００４９】
１は歯間ブラシ、２は口内ビューア、３は容器、４はホルダ、５は歯ブラシ、６は練り歯磨き、７はデンタルフロス、８は携帯電話である。
【００５０】
内部歯間ブラシ１００に関して：
【００５１】
１００−２は送達装置である。
【００５２】
１１は歯間ブラシ作用部分、１２は歯間ブラシ接続体である。
【００５３】
１００−２１は案内ヘッド、１００−２−１は屈曲部である。
【００５４】
１００−２２はスライド機構、１００−２−２は歯間ブラシに接続された接続機構、１００−２−３はスライダである。
【００５５】
口内ビューア２に関して：
【００５６】
２１は観察システム、２１−１はカメラシステムである。
【００５７】
２−１は歯間ブラシ取付スロットである。
【００５８】
容器３に関して：
【００５９】
３１は上部カバー、３１−１は上部カバーの底部、３１−２は上部カバーの位置決め凸状段である。
【００６０】
３２は基部、３２−１は固定クランプリング、３２−１−１は上部カバー接続機構、３２−１−２は位置決めスロット穴、３２−１−３はリブプレート、３２−２は収納槽、３２−２−１は位置決め凸状段、３２−３は仕切り板、３２−３−１は位置決めスロット、３２−３−２は位置決めフック、３２−３−３は位置決めクランプスロット、３２−３−４はバッフル板、３２−３−５は制限用凸状段、３２−４は位置決めスロットである。
【００６１】
３３は収納スペース、３３−１は前部収納スペース、３３−２は後部収納スペースである。
【００６２】
３−１は通気孔である。
【００６３】
ホルダ４に関して：
【００６４】
４−１は支持板、４−２はハウジング、４−３は位置決め凸状段、４−４は回転シャフト、４−５は回転シャフト取付けスロット、４−６はホルダ取付スロット、４−７は溝、４−８は鏡、４−９はスライドレール、４−１０はスライドシュート、４−１１はスイッチバックル位置、４−１２は制限板、４−１３は防水段、４−２−１はハウジングの端面、βは支持板とハウジングの端面との間の角度である。
【００６５】
歯ブラシに関して：
【００６６】
５−１は歯ブラシヘッド、５−２は本体である。
【００６７】
デンタルフロスに関して：
【００６８】
７−１は接続機構、７−２は作用部分である。
【発明を実施するための形態】
【００６９】
実施形態１：本開示の口内清掃キット
【００７０】
図１〜図１−３を参照すると、本開示の口内清掃キット８００は、歯間ブラシ１と、口内ビューア２と、歯間ブラシ１及び口内ビューア２を収容することができる容器３とを含む。
【００７１】
本実施形態では、容器３は、上部カバー３１と、基部３２と、収納空間３３とを含む。上部カバー３１は基部３２に着脱可能に取り付けられ、上部カバー３１と基部３２との間の空間は収納空間３３を構成する。歯間ブラシ１及び口内ビューア２は収納空間３３内に取り付けられている。
【００７２】
図１〜図２−１を参照すると、本開示において、上部カバー３１は、凹凸係合によって基部３２に接続されている。上部カバーは位置決め凸状段３１−２を含み、基部３２は溝型の上部カバー接続機構３２−１−１を含む。上部カバーの位置決め凸状段３１−２は、基部３２の上部カバー接続機構３２−１−１の溝に埋め込まれて、凹凸係合接続を形成する。
【００７３】
図９〜図１１、及び図３〜図３−１を参照すると、基部３２は固定クランプリング３２−１と収納槽３２−２とを含む。
【００７４】
収納槽３２−２の開口端には、固定クランプリング３２−１が設けられている。上部カバー３１に接続される、上部カバー接続機構３２−１−１、リブプレート３２−１−３、及び位置決めスロット穴３２−１−２が、固定クランプリング３２−１に設けられている。上部カバー接続機構３２−１−１は、固定クランプリング３２−１の上端に設けられている。位置決めスロット穴３２−１−２は、リブプレート３２−１−３に設けられている。
【００７５】
本実施形態では、固定クランプリング３２−１及び収納槽３２−２は凹凸係合で接続される。基部３２を清掃する場合、固定クランプリング３２−１を収納槽３２−２から取り外すことができる。清掃はより便利である。
【００７６】
勿論、図１７を参照すると、固定クランプリング３２−１及び収納槽３２−２はネジ接続で接続することも可能である。図１７示す実施形態では、収納槽３２−２及び固定クランプリング３２−１は、ネジによって着脱可能に接続される。
【００７７】
また、固定クランプリング３２−１及び収納槽３２−２は、図１８を参照すると、一体的に形成されてもよい。図１８に示す実施形態では、固定クランプリング３２−１は雌ねじであり、収納槽３２−２に提供されると、上部カバー３１の開口端の雄ネジ凸状段３１−２とネジ式上部カバー接続機構３２−１−１を形成する。図１８に示す実施形態と、図１７に示す実施形態との差は、図１７に示される実施形態の固定クランプリング３２−１にはリブプレート３２−１−３と位置決めスロット穴３２−１−２とが設けられる一方で図１８に示される実施形態の固定クランプリング３２−１にはリブプレート３２−１−３が設けられず、貫通穴として設定される位置決めスロット穴３２−１−２だけが設けられることである。また、容器３を乾燥状態に保つための通気孔３−１が収納槽３２−２の底部に設けられており、排水や排気を容易にしている。
【００７８】
固定クランプリング３２−１と収納槽３２−２との間の接続方法は、固定式の接続であってもよいし、又は、凹凸係合接続、バックル接続、又は締まりばめ接続など、着脱可能な接続であってもよい。それらは、本出願の保護範囲から逸脱することなく、一体製造によって、溶接によって、又は付着によって、着脱不能に接続されてもよい。
【００７９】
図１〜図１１を参照すると、本実施形態では、上部カバー接続機構３２−１−１が凹凸係合接続機構であり、上部カバー３１の位置決め凸状段３１−２が上部カバー接続機構３２−１−１の溝に埋め込まれ、上部カバー３１と固定クランプリング３２−１は、相互に接続されてもよい。
【００８０】
勿論、図１７〜図１８を参照すると、上部カバー接続機構３２−１−１がネジ接続機構であってもよい。図１７及び図１８の実施形態では、上部カバー３１と基部３２とはネジ接続によって互いに着脱可能に接続されている。
【００８１】
さらに、上部カバー３１と基部３２は、本出願の保護範囲から逸脱することなく、締まりばめ接続機構、ヒンジ接続機構、バックル接続機構又は他の接続機構など、様々な方法で接続されてもよい。
【００８２】
位置決めスロット３２−１−２がリブプレート３２−１−３上に設けられているので、歯間ブラシ１又は口内ビューア２を、位置決めスロット穴３２−１−２に埋め込んで上手く位置付けることができ、それにより、持ち運ぶ間に歯間ブラシ１と口内ビューア２との衝突により歯間ブラシ１又は口内ビューア２に偶発的に傷が付くことを防止するようにする。基部３２は、上部カバー接続機構３２−１−１によって、上部カバー３１に便利に接続することができる。
【００８３】
図３及び図３−１を参照すると、基部３２は仕切り板３２−３をさらに含む。
【００８４】
仕切り板３２−３が容器３の長手方向に沿って広げられており、収納空間３３を前部収納空間３３−１と後部収納空間３３−２とに仕切る。仕切り板３２−３の下端の形状は位置決めスロット穴３２−１−２の形状と一致し、仕切り板３２−３は位置決めスロット穴３２−１−２に都合よく埋め込まれて定着部を形成することができる。仕切り板３２−３によって収納空間３３が前部収納空間３３−１と後部収納空間３３−２とに仕切られた後、ユーザは、形状及び湿潤−乾燥状態など清掃用物品の特徴に従って物品を異なる収納空間に配置することができる。例えば、図１４及び図１５を参照すると、歯間ブラシ１及び口内ビューア２は、容器３の前部収納空間３３−１内に取り付けられ、歯ブラシ５及び／又は練り歯磨き６及び／又はデンタルフロス７は後部収納空間３３−２内に取り付けられる。
【００８５】
図８及び図８−１を参照すると、仕切り板３２−３には、歯間ブラシ１又は口内ビューア２を固定するための位置決めスロット３２−３−１及び位置決めフック３２−３−２が設けられている。位置決めスロット３２−３−１及び位置決めフック３２−３−２はさらに、歯間ブラシ１又は口内ビューア２の位置付けを補助することができ、それにより持ち運び又は使用中に歯間ブラシ１と口内ビューア２との衝突により歯間ブラシ１又は口内ビューア２に偶発的に傷が付くことをより良く防止するようにする。
【００８６】
図１〜図３−１を参照すると、容器３の上部カバー３１は、歯のブラッシング時に液体を保持することができるカップである。清掃プロセスの際は、ユーザは、上部カバー３１を歯磨き用のマグとして使用することができる。使用後、上部カバー３１は容器３を形成するように基部３２に再び接続することができ、これによってより便利に使用することができる。
【００８７】
容器３には通気孔３−１が設けられており、通気孔３−１は基部３２に設けられている。通気孔３−１を配置することにより、容器３内の残留水分を確実に蒸発させ、容器３の収納空間３３を乾燥状態に維持し、細菌の増殖を効果的に防止し、残留水分による電子部品の短絡、経年劣化、及び偶発的な損傷を防止することができ、それにより口内清掃キット８００はより安全で衛生的なものになる。
【００８８】
図６〜図７を参照すると、本実施形態では、歯間ブラシ１は内部歯間ブラシ１００を含む。内部歯間ブラシ１００は、歯間ブラシ１、送達装置１００−２、及び接続機構３００を含み、歯間ブラシ１は送達装置１００−２の前端で屈曲部１００−２−１内に移動可能に配置され、接続機構３００は送達装置１００−２に設けられている。
【００８９】
内部歯間ブラシ１００の歯間ブラシ１は、作用部分１１と接続体１２とを含み、作用部分１１は接続体１２の前端に設けられている。送達装置１００−２は、案内ヘッド１００−２１及びスライド機構１００−２２を含む。案内ヘッド１００−２１は屈曲部１００−２−１を内側に含む。歯間ブラシ１は屈曲部１００−２１内に取り付けられ、歯間ブラシ１の作用部分１１は屈曲部１００−２−１内をスライド可能であり、歯間ブラシ１の接続体１２は送達装置１００−２のスライド機構１００−２２に取り付けられている。スライド機構１００−２２の移動は、歯間ブラシ１の作用部分１１を屈曲部１００−２−１内でスライドするように駆動することができる。スライド機構１００−２２を駆動することによって、歯間ブラシ１の作用部分１１は、屈曲部１００−２−１の出口から突出することができる。
【００９０】
内部歯間ブラシ１００のスライド機構１００−２２は、歯間ブラシ接続機構１００−２−２とスライダ１００−２−３とを含み、歯間ブラシ接続機構１００−２−２は、スライダ１００−２−３上に設けられる。図６〜図７を参照すると、歯間ブラシの接続体１２及び歯間ブラシ接続機構１００−２−２は相互に接続され、スライダ１００−２−３は、歯間ブラシ１を屈曲部１００−２−１内で往復運動するように駆動するために押し引きすることができ、その結果、歯間ブラシの作用部分１１は屈曲部１００−２−１の出口から突出又は後退する。
【００９１】
内部歯間ブラシ１００は、送達装置１００−２の案内ヘッド１００−２１の屈曲部１００−２−１内に配置された歯間ブラシ１の構造を有するので、案内ヘッド１００−２１が歯の隙間と整列した後、弾性材料から作られた歯間ブラシ１の作用部分１１は、送達装置１００−２上のスライド機構１００−２２を押して、歯間ブラシ１の作用部分１１を駆動して、屈曲部１００−２−１の湾曲に沿って自動的に曲がるようにし、及び歯の隙間と整列してそこに入り込むようにする。送達装置１００−２のスライド機構１００−２２上のスライダ１００−２−３を前後に押し引きすることによって、歯間ブラシの作用部分１１が歯の隙間内で前後に動き、歯の隙間を清掃する。送達装置１００−２の良好な剛性により、送達装置１００−２の案内ヘッド１００−２１の屈曲部１００−２−１の出口が歯の隙間と整列した後、歯間ブラシ１の作用部分は歯の隙間に直接入り込むように押し出される。送達装置１００−２の案内ヘッド１００−２１の屈曲部１００−２−１の出口は歯の隙間の寸前にあるので、歯間ブラシの作用部分１１は歯の隙間からの距離が短いために曲がる可能性が低く、その結果、歯間ブラシ１の伝達率が大幅に改善され、歯間ブラシ１の制御性が改善され、そして従来技術において臼歯間の隙間を清掃するときに歯間ブラシの曲がりによって生じる歯肉を傷付ける欠点は回避される。
【００９２】
図４〜図５−１を参照すると、内部歯間ブラシ１００は接続機構３００を介して口内ビューア２の歯間ブラシ取付スロット２−１に着脱可能に取り付けられる。このようにして、内部歯間ブラシ１００と口内ビューア２とを一体に組み立てて、歯の隙間を清掃するために片手操作を行うことができる。それらは分離することもできる、すなわち、口内ビューア２を観察のために片方の手で保持し、内部歯間ブラシ１００を他方の手で保持して歯の隙間を清掃する。ユーザは個人の習慣に合わせて自由に使用モードを選択することができる。
【００９３】
口内ビューア２は観察システム２１を含む。観察システム２１はカメラシステム２１−１である。カメラシステム２１−１のビデオデータは、有線又は無線式に携帯電話８に送信することができ、口内清掃プロセスはリアルタイムで観察することができる。
【００９４】
口内清掃の間、上部カバー３１を基部３２から取り外し、歯間ブラシ１及び口内ビューア２を容器３から取り外し、口内ビューア２の補助観察下に、歯の隙間は歯間ブラシ１を使用して清掃される。使用後、歯間ブラシ１及び口内ビューア２は、容器３の収納空間３３内に配置され、次に上部カバー３１は基部３２に取り付けられ、そのようにして口内清掃キット８００は持ち運び可能及び使い捨て可能なユニットを再び構成することができる。本開示の口内清掃キットは持ち運びに便利、便利な使用及び衛生的という利点を有する。
【００９５】
実施形態２：ホルダを備える本開示の口内清掃キット
【００９６】
図１２〜図１４を参照すると、本実施形態と実施形態１との相違点は、本開示では口内清掃キット８００が、携帯電話８を保持するためのホルダ４をさらに含んでいる点である。
【００９７】
ホルダ４は、容器３に設けられ容器３と共に使用されてもよい、又は単独で使用されてもよい。図１２〜図１２−４を参照すると、本実施形態では、ホルダ４は凹凸係合により上部カバー３１の底部３１−１に着脱可能に取り付けられてもよい。
【００９８】
ホルダ４はまた、一体製造、接着、溶接等により容器３に固定式に接続されてもよく、又は本出願の保護範囲から逸脱することなく、ネジ接続、締まりばめ、バックル接続等により容器３に着脱可能に取り付けられてもよい。
【００９９】
図１３〜図１３−５を参照すると、ホルダ４は、支持板４−１と、ハウジング４−２と、位置決め凸状段４−３と、回転シャフト４−４と、回転シャフト取付スロット４−５と、ホルダ取付スロット４−６とを含む。支持板４−１は、ハウジング４−２に設けられ、回転シャフト４−４を介して回転シャフト取付スロット４−５に取り付けられる。携帯電話８は位置決め凸状段４−３と支持板４−１との間の空間に取り付けることができ、位置決め凸状段４−３は携帯電話８の滑りを防止することができ、支持板４−１は携帯電話８を支持する。ホルダ取付スロット４−６は、ホルダ４を容器３の上部カバー３１に取り付けることができる。
【０１００】
図１３−４及び図１３−５を参照すると、支持板４−１は、少なくとも１つの角度調整位置を有する。本実施形態では、支持板４−１は、垂直な角度調整位置と９０°を超える角度調整位置とを有する。携帯電話用のホルダ４の支持板４−１とハウジング４−２の端面４−２−１との間の角度βは連続的に調整可能である。
【０１０１】
本実施形態では、複数の位置決め凸状段４−３がホルダ４に設けられ、異なる身長及び使用習慣を有するユーザの要求を満たすべく携帯電話８の傾斜角度を調整し得る。
【０１０２】
ホルダ４のハウジング４−２には、支持板４−１を容易に開くための溝４−７が設けられている。
【０１０３】
使用時、ホルダ４はホルダ取付スロット４−６を介して容器３の上部カバー３１の底部３１−１に取り付けることができ、容器３を洗面台に置き、溝４−７を介して支持板４−１を開き、支持板４−１を、支持板４−１とハウジング４−２の端面４−２−１との間の適切な角度βまで回転シャフト４−４を回転中心として回転させ、携帯電話８は適切な位置決め凸状段４−３に置かれる。口内ビューア２のカメラシステム２１−１から送信されたビデオ信号は、携帯電話８を介してリアルタイムで観察される。
【０１０４】
ホルダ４はまた、容器３の上部カバー３１の任意の位置に、又は基部３２の底部、中間部、又は上部に設けることができる。ホルダ４は単独で使用することもでき、ホルダ４は洗面台に直接置かれ、携帯電話８はホルダ４上に配置される。このとき、上部カバー３１は、依然として歯磨き用マグとして使用可能であり、使用プロセスはより便利である。
【０１０５】
ホルダ４の支持板４−１の内面は鏡４−８をさらに含み、ユーザは鏡４−８を介して口腔内を直接観察することもできる。
【０１０６】
ホルダ４の設計により、携帯電話８は容器３に都合よく配置することができ、清掃の間携帯電話８を手で保持する必要はなく、又は携帯電話８は洗面台に配置され、これにより使用プロセスの利便性、清潔さ及び衛生が確保される。
【０１０７】
実施形態３：引出し式ホルダを備えた本開示の口内清掃キット
【０１０８】
図１６〜図１６−４を参照すると、本実施形態と実施形態２との相違点は、本実施形態では、ホルダ４が引出し式ホルダであることである。
【０１０９】
本実施形態では、上部カバー３１と固定クランプリング３２−１とはバックル接続によって接続される。接続の間、上部カバー接続機構３２−１−１は、上部カバー３１の位置決め凸状段３１−２上でバックル留めされる。図１６〜図１６−４を参照すると、上部カバー３１が取り外されるとき、上部カバー接続機構３２−１−１は両側に対して開かれ、上部カバー３１は簡単に取り外すことができる。
【０１１０】
ホルダ４は、容器３に提供された引出し式ホルダ４であり、押し込むことで折り畳むことができ、引き出すことで開かれることが可能である。
【０１１１】
引出し式ホルダ４は容器３の基部３２に配置される。
【０１１２】
図１６−３及び図１６−４を参照すると、引出し式ホルダ４はスライド式引出し式ホルダである。引出し式ホルダ４はさらにスライドレール４−９とスライドシュート４−１０を含む。スライドレール４−９はスライドシュート４−１０内を移動可能である。引出し式ホルダ４を引き出すとき、スライドレール４−９がスライドシュート４−１０に沿って外側に突出し、携帯電話８の位置決め用の位置決め凸状段４−３が順次に開かれる。基部３２の上部はホルダ４の支持板４−１に相当し、位置決め凸状段４−３と共に携帯電話８を受け入れるための位置決め空間を構成している。携帯電話８が取り外され、ホルダ４のハウジング４−２が内側に押されるとき、スライドレール４−９はスライドシュート４−１０内に後退させられ、位置決め凸状段４−３が順次折り畳まれ、ホルダ４と一緒に基部３２内に折り畳まれる
【０１１３】
本実施形態では、引出し式ホルダ４は基部３２に直接設けられ、基部３２は携帯電話８を支持するために使用され、これは使用するのに便利である。同時に、図１６−３及び図１６−４を参照すると、デンタルフロス及び綿棒などの小さな清掃製品が基部３２の収納槽３２−２内に配置されてもよく、それにより、より完全な機能が得られる。本実施形態では、容器３のサイズはより大きいので、家庭用の要件はより良く満たされ得る。
【０１１４】
加えて、引出し式ホルダ４は、回転式に基部３２から開らかれてもよく、又は回転式に基部３２から折り畳まれてもよい。引出し式ホルダ４が外側に回転されると、引出し式ホルダ４は展開され、携帯電話８は引出し式ホルダ４の上に配置することができる。携帯電話８が取り外されると、引出し式ホルダ４は内側に回転されてもよく、引出し式ホルダ４は基部３２の中へ折り畳まれ、これはここでは記載しない。
【０１１５】
実施形態４：フリップ式ホルダを備えた本開示の口内清掃キット
【０１１６】
図１９〜図２４を参照すると、本実施形態と実施形態２との相違点は、本実施形態では、ホルダ４がフリップ式ホルダであることである。
【０１１７】
本開示の口内清掃キットは歯間ブラシ１００、口内ビューア２、容器３、ホルダ４、歯ブラシ５、練り歯磨き６、及びデンタルフロス７を含む。
【０１１８】
内部歯間ブラシ１００は接続機構３００を介して口内ビューア２に取り付けられる。歯ブラシ５は電気歯ブラシ５であり、電気歯ブラシ５は歯ブラシヘッド５−１と本体５−２とを含む。本実施形態では、デンタルフロス７は接続機構７−１と作用部分７−２とを含み、デンタルフロスの作用部分７−２は図１９−３を参照すると接続機構７−１を介して口内ビューア２に取り付けられる。本実施形態では、口内ビューア２、歯ブラシ５の本体５−２、練り歯磨き６、内部歯間ブラシ１００等は、前部収納空間３３−１内に配置可能である。デンタルフロス７、歯ブラシヘッド５−１、内部歯間ブラシ１００等は、後部収納空間３３−２内に配置可能である。
【０１１９】
図１９〜図２０−１を参照すると、本実施形態では、基部３２は固定クランプリング３２−１、収納槽３２−２、及び仕切り板３２−３を含む。口内ビューア２と本体５−２とを固定するための位置決めスロット３２−４もまた基部３２の底部に設けられる。仕切り板３２−３は、ホルダ４及び後部収納空間３３−２の１つの側を向いている。その上部には、歯ブラシヘッド５−１を固定するための位置決めクランプスロット３２−３−３と、デンタルフロス７の接続機構７−１及び内部歯間ブラシ１００を埋め込むことができる位置決めスロット３２−３−１とが設けられる。中間部にはバッフル板３２−３−４が設けられ、歯間ブラシ１を吊るすことができる位置決めスロット３２−３−１がバッフル板３２−３−４に設けられる。下部には、デンタルフロス７の作用部分７−２を吊るすことができる位置決めフック３２−３−２が設けられる。底部には、制限用凸状段３２−３−５が設けられ、制限用凸状段３２−３−５は、ホルダ４の制限板４−１２と協働することができ、ホルダ４が折り畳まれると、制限板４−１２は制限用凸状段３２−３−５の上側に配置され、仕切り板３２−３は基部３２から分離されない。仕切り板３２−３は前部収納空間３３−１の１つの側を向き、口内ビューア２と、電気歯ブラシ５の本体５−２とを固定することができる位置決めクランプスロット３２−３−３と、内部歯間ブラシ１００を埋め込むことができる位置決めスロット３２−３−１とが設けられる。位置決めクランプスロット３２−３−３及び基部３２の底部の位置決めスロット３２−４は、口内ビューア２及び本体５−２を基部３２に固定するために協働する。基部３２には通気孔３−１が設けられる。通気孔３−１を設けることで、容器３内の残留水分を確実に蒸発させ、容器３の収納空間３３を乾燥状態に保ち、細菌の増殖を効果的に防止し、残留水分が電子部品の短絡、経年劣化及び偶発的な損傷を引き起こすのを回避することができ、それにより口内清掃キット８００はより安全で衛生的なものになる。
【０１２０】
本実施形態では、ホルダ４は、容器３の基部３２に設けられたフリップ式のホルダ４である。本実施形態では、フリップ式のホルダ４は、開閉フリップ型ホルダであり、フリップ式ホルダ４は、ハウジング４−２、位置決め凸状段４−３、回転シャフト４−４、回転シャフト取付スロット４−５、及びスイッチバックル位置４−１１を含む。スイッチバックル位置４−１１を押し下げてホルダ４と基部３２と連結を解除した後、回転シャフト４−４を回転中心としてホルダ４を回転させ、ハウジング４−２を開くことができ、基部３２の上部はホルダ４の支持板４−１に相当し、位置決め凸状段４−３とともに携帯電話８を受け入れるための位置決め空間を構成する。図２１〜図２４を参照すると、携帯電話８を取り外して、ハウジング４−２を回転シャフト４−４に対して反対方向に回転させ、ハウジング４−２はバックル位置４−１１を介して基部３２に接続して固定することによって、ホルダを折り畳む。
【０１２１】
フリップ式ホルダ４は、回転シャフト４−４を介して基部３２に直接設けることができるので、ハウジング４−２は、ホルダ４を開く又は折り畳むために、回転シャフト４−４を介して直接回転される。構造が単純で、使用プロセスもより便利である。さらに、ハウジング４−２を開いた後、収納空間３３の下部に配置されているデンタルフロス７の作用部分７−２が容易に取り出され、また保管され、使用プロセスがより便利になる。
【０１２２】
本実施形態では、防水段４−１３がホルダ４のスイッチバックル位置４−１１の近くに設けられる。ホルダ４が開かれると、防水段４−１３が作業台表面に支持されて支持位置を形成し、これは基部３２とともに安定面を一緒に形成する。さらに、防水段４−１３の高さを設計することによって、携帯電話８を濡れた台の表面から離した状態に維持することができ、この使用プロセスはより安全でより衛生的である。
【０１２３】
本明細書に開示及び記載した構造は、同じ効果を有する他の構造と置き換えることができ、本明細書に記載の実施形態は、本開示を実施する唯一の構造ではないことに留意されたい。本開示の好ましい実施形態を本明細書に記載し例示したが、これらの実施形態は単に例示的なものであり、当業者は本開示から逸脱することなく多数の変更、改良及び置き換えを行うことができることは当業者には明らかであろう。したがって、本開示の保護範囲は、添付の特許請求の範囲の趣旨及び範囲に従って定義されるべきである。
【図１】
2020521516.tif 000003
【図１−１】
2020521516.tif 000004
【図１−２】
2020521516.tif 000005
【図１−３】
2020521516.tif 000006
【図２】
2020521516.tif 000007
【図２−１】
2020521516.tif 000008
【図３】
2020521516.tif 000009
【図３−１】
2020521516.tif 000010
【図４】
2020521516.tif 000011
【図５】
2020521516.tif 000012
【図５−１】
2020521516.tif 000013
【図６】
2020521516.tif 000014
【図６−１】
2020521516.tif 000015
【図７】
2020521516.tif 000016
【図８】
2020521516.tif 000017
【図８−１】
2020521516.tif 000018
【図９】
2020521516.tif 000019
【図９−１】
2020521516.tif 000020
【図１０】
2020521516.tif 000021
【図１１】
2020521516.tif 000022
【図１２】
2020521516.tif 000023
【図１２−１】
2020521516.tif 000024
【図１２−２】
2020521516.tif 000025
【図１２−３】
2020521516.tif 000026
【図１２−４】
2020521516.tif 000027
【図１３】
2020521516.tif 000028
【図１３−１】
2020521516.tif 000029
【図１３−２】
2020521516.tif 000030
【図１３−３】
2020521516.tif 000031
【図１３−４】
2020521516.tif 000032
【図１３−５】
2020521516.tif 000033
【図１４】
2020521516.tif 000034
【図１５】
2020521516.tif 000035
【図１６】
2020521516.tif 000036
【図１６−１】
2020521516.tif 000037
【図１６−２】
2020521516.tif 000038
【図１６−３】
2020521516.tif 000039
【図１６−４】
2020521516.tif 000040
【図１７】
2020521516.tif 000041
【図１８】
2020521516.tif 000042
【図１９】
2020521516.tif 000043
【図１９−１】
2020521516.tif 000044
【図１９−２】
2020521516.tif 000045
【図１９−３】
2020521516.tif 000046
【図２０】
2020521516.tif 000047
【図２０−１】
2020521516.tif 000048
【図２１】
2020521516.tif 000049
【図２２】
2020521516.tif 000050
【図２３】
2020521516.tif 000051
【図２４】
2020521516.tif 000052
【国際調査報告】
2020521516.tif 000053
2020521516.tif 000054
2020521516.tif 000055
2020521516.tif 000056
2020521516.tif 000057
2020521516.tif 000058
2020521516.tif 000059
2020521516.tif 000060